(57)【要約】２つ以上の脊椎固定プレートシステムを互いに結合する接続システムが提供される。１つの形態では、一対の骨ボルトが２つの脊椎固定プレートシステムを互いに取り付け固定する接続部材のための結合ポイントを形成する。別の形態では、接続部材は２つの脊椎固定プレートシステム間のさまざまな寸法を許容できるように調節できる。別の実施形態では、キャップは骨ボルトと接続部材との間の動的接続を形成する。【選択図】図１【特許請求の範囲】
【請求項１】
整形外科手術装置において、
一対のプレート部材であって、それぞれのプレート部材はそれぞれのスロットを規定する一対のプレート部材と、
前記プレート部材の一方に接続される第１の骨ボルトと、
前記プレート部材の他方に接続される第２の骨ボルトと、
前記第１の骨ボルトおよび前記第２の骨ボルトに接続される接続部材であって、前記第１の骨ボルトの少なくとも一部を収容するための第１の孔を規定する第１の実質的に円形の端部、および、前記第２の骨ボルトの少なくとも一部を収容するための第２の孔を規定する第２の実質的に円形の端部を有し、前記端部はそれぞれの直径を有し、前記端部と一体となって長手方向スロットを有する直線状の中央部分をさらに備え、前記中央部分は前記端部の前記直径よりも狭い幅を有する接続部材と、
一対の係止部材であって、それぞれの係止部材は前記接続部材を前記第１の骨ボルトまたは前記第２の骨ボルトの一方および前記プレート部材の一方に保持するように適合された、一対の係止部材と、を備える整形外科手術装置。
【請求項２】
請求項１に記載の装置において、
前記接続部材は、延在部分および受入れ部分を備え、
前記延在部分は前記受入れ部分内に摺動可能に収容される装置。
【請求項３】
請求項２に記載の装置において、
前記延在部分は一対の延在アームを備え、
前記受入れ部分は一対の凹部受け入れアームを備え、
それぞれの受け入れアームは前記延在アームの一つを受け入れ、保持する大きさである装置。
【請求項４】
請求項１に記載の装置において、
前記接続部材は上部平面および底部平面ならびに曲がった側面を備える装置。
【請求項５】
請求項１に記載の装置において、
前記接続部材の前記中央部分は長手方向軸を有し、
前記接続部材は前記端部の一方から延在し、前記軸に実質的に平行なペグを含む装置。
【請求項６】
請求項５に記載の装置において、
前記接続部材は前記端部の他方から延在し、前記軸に実質的に平行なペグを備える装置。
【請求項７】
請求項５に記載の装置において、
前記ペグは横断面が矩形である装置。
【請求項８】
請求項５に記載の装置において、
前記ペグは前記軸に沿っている装置。
【請求項９】
請求項１に記載の装置において、
前記プレート部材の一方と前記接続部材の間に位置するキャップをさらに備える装置。
【請求項１０】
請求項９に記載の装置において、
前記キャップはシリコーン材料から製造されている装置。
【請求項１１】
請求項１に記載の装置において、
前記係止部材のぞれぞれは内部にねじ山の付いたナットを備え、
前記ナットは上部の内部六角プリントおよびある直径の実質的に円形の周囲を有し、
前記ナットの直径は前記接続部材の前記端部の直径よりもわずかに小さく、前記接続部材の前記中央部分の前記幅よりも大きい装置。
【請求項１２】
請求項１１に記載の装置において、
それぞれが内部および外部ねじ山およびベースフランジを有する一対の二重ねじ山付き部材をさらに備え、
前記第１のプレート上の前記第１のボルト上にねじ込まれて、前記二重ねじ山付き部材の一方は前記第１のボルトを前記第１のプレートに少なくとも部分的に固定し、
前記第２のプレート上の前記第２のボルト上にねじ込まれて、前記二重ねじ山付き部材の他方は前記第２のボルトを前記第２のプレートに少なくとも部分的に固定し、
前記係止部材の一方は前記二重ねじ山付き部材の一方の前記外部ねじ山の上にねじ込まれ、
前記係止部材の他方は前記二重ねじ山付き部材の他方の前記外部ねじ山の上にねじ込まれる、装置。
【請求項１３】
別々になった整形外科プレート構造を接続するための接続部材を備え、
前記接続部材は軸ならびに第１のおよび第２の曲がった端部を規定する第１のおよび第２の実質的にまっすぐな側面を有し、
前記第１の側面は前記第１の端部および前記第２の端部に連続しており、
前記第２の側面は前記第１の端部および前記第２の端部に連続しており、
前記第１の側面および第２の側面はスロットを規定し、
前記第１の端部は第１の孔を規定し、前記第２の端部は第２の孔を規定し、
前記接続部材は前記第１の端部から延在する第１のペグおよび前記第２の端部から延在する第２のペグをさらに備え、
前記ペグのそれぞれの長さは整形外科インプラント構造を前記ペグに取付けるのに適切な長さである、整形外科手術装置。
【請求項１４】
請求項１３に記載の装置において、
前記接続部材は延在部分および受入れ部分を備え、
前記延在部分は前記受入れ部分内に摺動可能に収容される装置。
【請求項１５】
請求項１３に記載の装置において、
一対のプレートであって、それぞれのプレートは第２の実質的にまっすぐな側壁に対向する第１の実質的にまっすぐな側壁、ならびに、前記第１の側壁および前記第２の側壁によって互いにそれぞれ分離した一対の曲がった端部壁を有し、前記第１の側壁、前記第２の側壁、および前記一対の端部壁はスロットを規定する、一対のプレートと、
第１のプレートの前記スロットを通じて前記プレートの一方と接続される第１の骨ボルトと、
第２のプレートの前記スロットを通じて前記プレートの他方と接続される第２の骨ボルトと、
一対の係止部材であって、それぞれの係止部材は前記接続部材を前記第１の骨ボルトまたは前記第２の骨ボルトの一方および前記プレートの一方に保持するように適合された、一対の係止部材と、
をさらに備え、
前記接続部材は前記第１の骨ボルトおよび前記第２の骨ボルトに接続され、
前記第１の孔は前記第１の骨ボルトの周囲に位置し、前記第２の孔は前記第２の骨ボルトの周囲に位置する、装置。
【請求項１６】
請求項１５に記載の装置において、
前記係止部材はナットを備え、前記ナットは一組の外部ねじ山および一組の内部ねじ山を備える装置。
【請求項１７】
請求項１６に記載の装置において、
前記第１の骨ボルトはねじ山の付いた部分を備え、
前記ナットの前記一組の内部ねじ山は前記第１の骨ボルトの前記ねじ山の付いた部分がねじ込まれるように適合された装置。
【請求項１８】
請求項１５に記載の装置において、
前記プレートの一方と前記接続部材の間に位置するキャップをさらに備える装置。
【請求項１９】
請求項１８に記載の装置において、前記キャップは可撓性材料で製造されている装置。
【請求項２０】
請求項１３に記載の装置において、
前記接続部材は上部平面および底部平面ならびに曲がった側面を備える装置。
【発明の詳細な説明】
【技術分野】
【０００１】
本発明の開示は、脊椎のための整形外科用インプラントなどの整形外科用インプラントに関する。特に、本発明の開示は、椎骨に取り付けられる２つ以上の脊椎固定システムを備え、さらにこれらの脊椎固定システムは脊椎変形を治療し矯正するために互いに接続される。
【背景技術】
【０００２】
整形外科手術分野では、より強固な支持および位置合わせシステムを提供するために一対の細長い穴のあるプレートまたはロッドが骨に取り付けられることが可能である。たとえば、損傷した椎骨を結合させる手順において、椎骨外科医の要求に応じて位置合わせされる。それぞれの一対のプレートは脊柱に沿って配置され、第１のプレートは第２のプレートから距離をとって配置される。プレートは脊柱の長さ方向に沿った多様な椎骨の選択されたポイントに任意の数の固定要素によって固定される。このようにして、当該プレートは椎骨または他の組織の固定のために支持を提供でき、外傷の治療または外科的処置、変形の矯正、または他の治療を行うことができる。
【発明の概要】
【課題を解決するための手段】
【０００３】
特に、それぞれのプレート部材がそれぞれのスロットを規定する一対のプレート部材と、プレート部材の一方に接続され第１の骨ボルトと、プレート部材の他方に接続される第２の骨ボルトと、両骨ボルトに接続される接続部材とを備える整形外科用手術装置の実施形態が開示される。接続部材は、第１のボルトの少なくとも一部を収容するための第１の孔を規定する第１の実質的に円形である端部、および第２のボルトの少なくとも一部を収容するための第２の孔を規定する第２の実質的に円形である端部を有してもよく、端部はそれぞれの直径を有する。接続部材は、長手方向スロットを有して端部と一体となった直線状の中央部分をさらに備え、中央部分の幅は端部の直径よりも狭い。一対の係止部材は、それぞれが接続部材をボルトの一方およびプレート部材の一方に保持するために使用される。接続部材は延在部分および受入れ部分を有してもよく、延在部分は受入れ部分内で摺動可能に収容される。当該延在部分は、一対の延在アームを備えることができ、当該受入れ部分は、一対の凹部受け入れアームを備えることができ、それぞれの受け入れアームは延在アームの一つを受け入れて保持できる大きさである。接続部材は上部平面および底部平面ならびに曲がった側面を有してもよく、接続部材はその中央部分の長手方向軸に対して実質的に平行で、端部の一方または両方から延在するペグを有してもよい。当該ペグは横断面が矩形であって、および／または長手方向軸に沿って位置してもよい。シリコーン材料で製造されてもよいキャップは、プレート部材の一方と接続部材の間に位置することができる。係止部材は、内部にねじ山の付いたナットを有してもよく、ナットは上部に内部六角プリントおよびある直径の実質的に円形の周囲を有し、直径は接続部材の端部の直径よりもわずかに小さく、接続部材の前記中央部分の幅よりも大きい。それぞれが内部および外部ねじ山とベースフランジを有する二重ねじ山付き部材も提供され、二重ねじ山付き部材の一方は、少なくとも部分的に第１のボルトを第１のプレートに固定するために第１のプレート上の第１のボルトの上にねじ込まれ、二重ねじ山付き部材の他方は、少なくとも部分的に第２のボルトを第２のプレートに固定するために第２のプレートの上の第２のボルトの上にねじ込まれる。係止部材の一方は、二重ねじ山付き部材の一方の外部ねじ山の上にねじ込まれることができ、係止部材の他方は、二重ねじ山付き部材の他方の外部ねじ山の上にねじ込まれることができる。
【０００４】
別々になった整形外科用プレート構造を接続するための接続部材を備える整形外科用手術装置の実施形態も開示され、接続部材は軸ならびに第１のおよび第２の曲がった端部を規定する第１のおよび第２の実質的にまっすぐな側面を有し、第１の側面は第１の端部および第２の端部に連続し、第２の側面は第１の端部および第２の端部に連続する。第１の側面および第２の側面はスロットを規定し、第１の端部は第１の孔を規定し、第２の端部は第２の孔を規定し、接続部材は第１の端部から延在する第１のペグおよび第２の端部から延在する第２のペグをさらに備え、ペグはそれぞれが整形外科用インプラント構造をそれらに取り付けるために適切な長さである。当該接続部材は、延在部分および受入れ部分を備えることができ、延在部分は受入れ部分内に摺動可能に収容される。当該装置は、一対のプレートであって、それぞれのプレートが第２の実質的にまっすぐな側壁に対向する第１の実質的にまっすぐな側壁、ならびに第１のおよび第２の側壁によって互いにそれぞれ分離した一対の曲がった端部壁を有し、側壁および端部壁はスロットを規定する一対のプレートと、第１のプレートのスロットを通じてプレートの一方に接続される第１の骨ボルトと、第２のプレートのスロットを通じてプレートの他方に接続されている第２の骨ボルトとを備えることができる。接続部材は、その第１の孔が第１の骨ボルトの周囲に位置し、その第２の孔が第２の骨ボルトの周囲に位置する状態で、ボルトに接続されていてもよい。さらに、一対の係止部材が、接続部材を第１のボルトまたは第２のボルトの一方およびプレートの一方を保持するためにそれぞれが使用されるように備えられてもよい。当該係止部材は、一組の外部ねじ山および一組の内部ねじ山を有するナットを備えてもよい。第１の骨ボルトは、ねじ山の付いた部分を備えることができ、ナットの一組の内部ねじ山は第１の骨ボルトのねじ山の付いた部分がねじ込まれるように使用される。装置は、プレートの一方と接続部材の間に位置する（可撓性材料で製造された）キャップを備えることもできる。接続部材は上部平面および底部平面ならびに曲がった側面を有することができる。
【図面の簡単な説明】
【０００５】
【図１】脊椎固定プレートシステムの実施形態の斜視図である。
【図２】脊椎固定プレートシステムの部分分解斜視図である。
【図３】図２の構成部品の組み合わせが組み立てられた斜視図である。
【図４】図３の線４−４に沿って矢印の方向で見た、図３の実施形態の部分横断面図である。
【図５】接続部材の実施形態の上面図である。
【図６】図５の線６−６に沿って矢印の方向で見た、図５の実施形態の横断面図である。
【図７】図５の実施形態の斜視図である。
【図８】接続部材の実施形態の上面図である。
【図９】図８の実施形態の斜視図である。
【図１０】脊椎固定プレートシステムの実施形態の斜視図である。
【図１１】脊椎固定プレートシステムの部分分解斜視図である。
【図１２】脊椎固定プレートシステムの部分分解斜視図である。
【図１３】脊椎固定プレートシステムの部分分解斜視図である。
【発明を実施するための形態】
【０００６】
本開示内容の原理の理解を促進するために、図面に示された実施形態を参照し、それを表現するために特定の用語が用いられる。それでもなお、それらによって請求項の範囲が限定されることを意図するものではないと理解されるべきであり、説明に係る装置のそのような変更や更なる改良、およびそこで説明されたような開示の原理の更なる適用は、本開示に関連する当業者が通常思い付き得るものとして考えられる。本発明の開示に関連しないいくつかの特徴が明確にするために示されなくともよいことは当業者には明らかであろうが、開示の１つの実施形態では非常に詳細に示されている。
【０００７】
図１、２、３および４を大まかに参照すると、脊椎固定プレートシステム１００の実施形態が示されている。脊椎固定システム１００は、内部スロット１０４を有する椎骨Ｖ１、Ｖ２およびＶ３の間に延在しているプレート１０２を備える。ボルト１０６はスロット１０４を介して椎骨Ｖ１の茎の中に延び、内部にねじ山の付いた締め具１０８によってプレート１０２に結合している。追加の２つのボルト１０６も図示され、それぞれのボルトはスロット１０４を介して椎骨Ｖ２およびＶ３の茎の中に延在している。椎骨Ｖ２では、ボルト１０６は内部にねじ山の付いたナット１０９によってプレート１０２に結合している。他の実施形態では、椎骨Ｖ１、Ｖ２、およびＶ３は締め具１０８、ナット１０９、または他種の固定要素などの係止部材によってボルト１０６に取り付けられることができる。図示された実施形態では、椎骨Ｖ１、Ｖ２およびＶ３に取り付けられる第２の脊椎固定プレートシステム１００が存在する。
【０００８】
骨ボルト１０６は、骨を係合するねじ山の付いたシャフト１１０、拡大受座部分１１２、および締め具１０８またはナット１０９などの固定要素を受け入れるための機械加工ねじを有する外部にねじ山の付いた結合シャフト１１４を備える。図示された実施形態では、プレート１０２の底面を係合するために適合する拡大座金１１６は受座１１２およびプレート１０２の間に配置される。図示された実施形態では、骨ボルト１０６は拡大受座１１２の上の外部の駆動パターンおよびねじ山１１４に隣接して形成された内部の六角駆動パターンを有する。ボルト１０６の他の実施形態は本発明の開示の範囲内であることが意図される。たとえば、ボルト１０６は、ねじ山の付いた構造というよりも骨を係合する留め金を備える。その実施形態では、骨を係合するねじ山の付いたシャフト１１０は細長いねじ山の付いた部分というよりも留め金とともに構成される。
【０００９】
プレート１０２のスロット１０４は対向する細長い側壁１２２、１２４および対向する端部壁１２６、１２８によって規定される。スロット１０４を形成する壁１２２、１２４、１２６、および１２８の上部は、表面１３０を形成するために面取りがされ、または丸みを帯びており、壁１２２、１２４、１２６、および１２８の底部も表面１３２を形成するために面取りがされている。図のように、スロット１０４は丸みを帯びた角を有する実質的に矩形形状である。しかし、他の実施形態では、スロット１０４は四角形、長円形、円形、または外科医が所望する他の形状などの異なった形状にすることができる。
【００１０】
脊椎固定システム１００は、さらに、プレート１０２を接続部材１５０に接合するための結合部材１３４および協働する内部にねじ山の付いたナット１０９を備える。結合部材１３４はスロット１０４の幅よりも大きい直径を有する拡大したフランジ１３８を備え、フランジ１３８がプレート１０２を係合する。結合部材１３４は、ねじ込んで、骨ボルト１０６の外部にねじ山の付いたシャフト１１４、および外部駆動表面１４０、および対向する駆動表面（図示せず）を係合するように構成される内部にねじ山の付いた孔を備える。駆動表面１４０によって工具で結合部材１３４を係合し、ねじ山の付いたシャフト１１４に沿って前進させることができる。駆動表面１４０で中断される一続きの外部ねじ山１４２を結合部材１３４の外部に有する。ねじ山の付いたナット１０９は、内部の駆動パターン１４４および内部にねじ山の付いた開口部１４６を備える。内部の駆動パターン１４４は外部ねじ山１４２とねじによって係合されるように構成される。
【００１１】
図示されていないが、本出願に記載された脊椎固定システムは、参照により本明細書に組み込まれる、２００６年４月２６日に出願された、代理人整理番号３１，１３２，４６１の発明の名称「改訂固定プレートおよび使用の方法（Ｒｅｖｉｓｉｏｎ  Ｆｉｘａｔｉｏｎ  Ｐｌａｔｅ  ａｎｄ  Ｍｅｔｈｏｄ  ｏｆ  Ｕｓｅ）」、出願番号      、とともに使用できるように構成されることが意図される。
【００１２】
図５、図６、および図７では、接続部材１５０の実施形態が図示される。この実施形態では、接続部材１５０は、通常、第１の側面１５２、第２の側面１５４、第１の端部１５６、および第２の端部１５８を有する「犬用の骨（ｄｏｇｂｏｎｅ）」形状である。他の実施形態では、接続部材１５０は、長円形、矩形、または他の形状であってもよい。
【００１３】
側面１５２および１５４のそれぞれは、端部１５６から端部１５８までの長さを有し、図示された実施形態では、側面１５２および１５４は、端部１５６から端部１５８までの長さにわたって実質的にまっすぐである。他の実施形態では、側面１５２および１５４は曲がっていてもよくまたは互いに独立した形状でもよい。図示された実施形態では、側面１５２および１５４は、側面１５２および側面１５４の長手方向軸に対して垂直な矩形横断面を有する。他の形状では、側面１５２および側面１５４は、側面１５２および側面１５４の長手方向軸に対して垂直な、円形、四角形、または長円形横断面を有することができる。図示された実施形態では、側面１５２および側面１５４のそれぞれは、それぞれの横断面面積が互いに等しい。図示された実施形態では、側面１５２および１５４は空間またはスロット１６０を規定し、または取り囲む。空間１６０は、図示された実施形態では、細長い長円形形状を有し、しかしながら、他の実施形態では、空間１６０は、２、３例を挙げると矩形、円形、または四角形などの異なる形状を有することができる。別の実施形態では、側面１５２および側面１５４は空間１６０ではなく連続的な接続部材１５０を形成する。
【００１４】
図示された実施形態では、端部１５６および端部１５８は実質的に円形形状を有し、端部１５６および端部１５８はそれぞれの端部の中心軸に対して垂直な矩形横断面を有する。他の実施形態では、端部１５６および端部１５８は異なった形状をしていてもよく、または、２、３例を挙げると円形、長円形、四角形、または台形などの異なる横断面形状をしていてもよい。端部１５６および端部１５８はそれぞれ第１の孔１６２および第２の孔１６４を規定する。図示された実施形態では、第１の孔１６２および第２の孔１６４の形状は円形である。しかしながら、他の実施形態では、第１の孔１６２および第２の孔１６４は、骨ボルトまたは他種の骨固定装置を受容するために別の形状に適合することができる。図示された実施形態では、第１の孔１６２および第２の孔１６４のそれぞれは、フランジ１３８をはめ合わせて受け入れる大きさの階段状の下面を有する。
【００１５】
図８および図９に図示された、特定の実施形態では、接続部材１５０は、接続部材１５０の幅を調整するための、延在部分１６６および受入れ部分１６８を備える。延在部分１６６および受入れ部分１６８は、受入れ部分１６８が延在部分１６６を受け入れて保持する形状をしている。図示された実施形態では、延在部分１６６は受入れ部分１６８を陥入するように構成され、受入れ部分１６８は、接続部材１５０の幅に固定し所望の位置で延在部分１６６を保持するための位置決めねじを備える。他の実施形態では、延在部分１６６は、他種の固定システムによって受入れ部分１６８中で保持されてもよい。図示されるように、延在部分１６６は、一対の延在アーム１７０を備え、受入れ部分１６８は、一対の凹部受け入れアーム１７２を備える。この実施形態では、延在アーム１７０および受け入れアーム１７２は横断面形状がそれぞれ矩形である。他の実施形態では、アーム１７０および１７２は、円形、四角形、長円形、または楕円形などの異なる横断面形状を有することができる。
【００１６】
図示された実施形態では、図８および図９では、接続部材１５０は、第１の端部１５６から延出する第１のペグ１７４および第２の端部１５８から延出する第２のペグ１７６を備える。図のように、第１のペグ１７４および第２のペグ１７６は、細長い側壁１５２および１５４と実質的に並行である。この実施形態では、第１のペグ１７４および第２のペグ１７６は、同様の形状と大きさをしている。しかしながら、他の実施形態では、第１のペグ１７４は第２のペグ１７６とは異なる形状および／または大きさであってもよい。図示されるように、第１のペグ１７４および第２のペグ１７６は横断面形状がそれぞれ矩形である。しかしながら、他の実施形態では、第１のペグ１７４および／または第２のペグ１７６は、横断面形状が円形、三角形、または台形であってもよい。他の実施形態では、接続部材１５０は、第１の端部１５６または第２の端部１５８のどちらかから延出する１つのペグを備えてもよい。しかし他の実施形態では、接続部材１５０は、第１の端部１５６および／または第２の端部１５８から延出する多重ペグを備えてもよい。第１のペグ１７４および／または第２のペグ１７６は、架橋物、多軸ねじ、または他の整形外科用装置を本出願に記載された脊椎固定プレートシステムに取り付けるために使用することができる。
【００１７】
図３および図１０に示される組み立てられた構成では、接続部材１５０はプレート１０２と実質的に垂直になって位置する。結合部材１３４およびねじ山の付いたシャフト１１４の突出部分は接続部材１５０の第１の孔１６２または第２の孔１６４のどちらかの中に受け入れられる。ねじ山の付いたナット１０９は、外部ねじ山１４２に沿ってねじ込まれて前進し、ナット１０９が接続部材１５０および結合部材１３４の第１の端部１５６または第２の端部１５８に係合する。
【００１８】
図１１を参照すると、脊椎固定プレートシステム２００の別の実施形態が示されている。プレート１０２は、骨を係合するねじ山の付いたシャフト２１０を有する骨ネジ２０６、拡大受座部分２１２、および締め具１０８またはナット１０９などの締め具を受け入れるための機械加工ねじを有する外部にねじ山の付いた結合シャフト２１４を介して骨に取り付けられる。図示された実施形態では、受座２１２およびプレート１０２の間にはプレート１０２の底面を係合するために適合する拡大座金１１６が配置される。係止座金２２０は、上方に突出した半径方向に延在する一連のスプライン２２２および下方に突出した一対のタブ２２４および２２６を備える。係止座金２２０は、プレート１０２のスロット１０４の中に延在するタブ２２４および２２６を有するねじ山の付いた結合シャフト２１４の上に位置する。二重にねじ山の付いたナット２３０は、スプライン２２２に隣接する座金２２０のくぼみ部分と係合するために、ねじ山の付いた結合シャフト２１４に沿って前進し、その結果、座金２２０をプレート１０２に係止する。二重にねじ山の付いたナット２３０は、一続きの内部ねじ山２３２および一続きの外部ねじ山２３４を備える。内部ねじ山２３２は骨ネジ２０６のねじ山の付いた結合シャフト２１４を係合する。接続部材２５０は接続部材１５０と類似する。しかしながら、接続部材２５０は、その第１の孔２６２および第２の孔２６４の周囲の底部表面上に形成されるスプライン２２２に対応する一連の半径方向に延在するスプラインを備える。接続部材２５０は、ねじ山の付いたポスト２１４の上に位置し、接続部材２５０上のスプラインはスプライン２２２と互いにかみ合って結合する。内部にねじ山の付いたナット１０９は適切な位置で組立体を係止するためにねじ山の付いたポスト２１４の上に適用される。図示された実施形態では、プレート１０２および接続部材２５０は互いに実質的に直角に位置する。しかしながら、他の実施形態ではプレート１０２は接続部材２５０に対して別の角度で延在してもよい。タブ２２４および２２６は図示された実施形態では骨ボルト２０６まわりの回転に抵抗するように示されているが、他の実施形態ではタブ２２４および２２６は除去され、プレート１０２に対する座金２２０の回転に対する抵抗は、座金底部上のザラザラになった表面、摩擦係合部材、または締り嵌めなどのプレート１０２に対する他の形態の加圧によって達成される。
【００１９】
図１２に図示されているように、脊椎固定プレートシステム３００の別の実施形態が示されている。プレート３０２はプレート１０２と類似する。しかしながら、プレート３０２は、複数の上方に突出するスプライン３０６を有する上部表面３０４を備える。プレート３０２は骨ネジ２０６を介して骨に取り付けられる。図示された実施形態では、プレート３０２の底面を係合するように適合された拡大座金１１６は受座２１２およびプレート３０２の間に配置される。係止座金３２０は、一連の半径方向に延在する上方に突出したスプライン３２２および一連の下方に突出したスプライン３２４を備える。係止座金３２０は、スプライン３０４をかみ合わせて係合するように構成される下方に突出したスプライン３２４とともに、ねじ山の付いたポスト２１４の上を前進する。二重にねじ山の付いたナット２３０は、スプライン３２２に隣接する座金３２０のくぼみ部分３２６を係合するために、ねじ山の付いたポスト２１４に沿って前進し、その結果、座金３２０をプレート３０２に係止する。接続部材３５０は接続部材１５０と類似する。しかしながら、接続部材３５０は第１の孔３６２および第２の孔３６４の周囲のその底部表面上に形成されるスプライン３２２に対応する一連の半径方向に延在するスプラインを有する。接続部材３５０は、ねじ山の付いたナット２３０およびポスト２１４の上に位置し、接続部材３５０の底部に形成されるスプラインはスプライン３２２と互いにかみ合う。内部にねじ山の付いたナット１０９は、適切な位置で組立体を係止するために、ねじ山の付いたポスト２１４の上に適用される。図示された実施形態では、プレート３０２および接続部材３５０は互いに実質的に直角に位置する。しかしながら、他の実施形態ではプレート３０２は、接続部材３５０に対して異なる角度で延在してもよい。他の実施形態では、半径方向に突出するスプラインは、プレート３０２の長手方向軸に対して横方向に延在する一連のリッジ、または刻み付き表面および同様の座金３２０の底部、または、一続きの嵌め合いリッジまたは刻み付けが形成された接続部材３５０で置き換えてもよい。
【００２０】
図１３を参照すると、脊椎固定プレートシステム４００の別の実施形態が示されている。プレート１０２は骨ネジ２０６を介して骨に取り付けられる。図示された実施形態では、プレート１０２の底面を係合するために適合する拡大座金１１６は受座２１２およびプレート１０２の間に配置される。壁４２２を有し、第１の開口部４２４および第２の開口部４２６を規定するキャップ４２０は、ねじ山の付いた結合シャフト２１４の上に位置する。キャップ４２０は図示されるように実質的に放物線形状である。しかしながら他の実施形態ではキャップ４２０は異なった形状をしていてもよい。キャップ４２０は可撓性材料で製造される。可撓性材料のいくつかの例にはシリコーンまたはプラスチックが含まれる。キャップ４２０は、骨ネジ２０６およびナット１０９の間で動的な接続を形成する。接続部材１５０の第１の孔１６２または第２の孔１６４のいずれかは、ねじ山の付いたポスト２１４の上に位置し、接続部材１５０の底部表面はキャップ４２０に接触する。内部にねじ山の付いたナット１０９は、適切な位置で組立体を係止するために、ねじ山の付いたポスト２１４の上に適用される。図示された実施形態では、プレート１０２および接続部材１５０は互いに実質的に直角に位置する。しかしながら、他の実施形態ではプレート１０２は、接続部材１５０に対して異なる角度で延在してもよい。
【００２１】
明細書に開示されている接続部材はプレート間の異なる距離およびプレートの異なる方向で対応することができる。接続部材は、構造および神経、たとえば、脊椎に関連するまたは脊椎に隣接する脊髄および／または脊髄突起と干渉することなくプレート間の距離を橋渡しする。加えて、接続部材は強固におよびしっかりとプレートを接続する。その上、接続部材は調節できる。固定要素は接続部材を一対のプレートに接続する。さらに、固定要素は、必要ならば将来の外科手術で既存のプレートまたはロッドに取り付けられることができる追加のプレートまたはロッドのための結合ポイントとして機能するように構成される。
【００２２】
本明細書に開示されている装置は任意の好適な生体適合性材料で構成される。たとえば、いくつかの実施形態では、ステンレス鋼およびチタニウムなどの金属、複合材料、セラミックス、プラスチック、およびポリマーが使用される。
【００２３】
さらに、ロッドおよびねじシステム、他のプレートおよびねじシステムなどの他種の脊椎システム、および本発明の開示が接続されてもよい任意の脊椎固定または安定化システムとともに、本発明の開示が使用されてもよいことが意図される。加えて、本発明の開示では任意の数の椎骨、骨、または他の組織と接続するために使用されてもよい。
【００２４】
本発明は、図面および上述の記述で、図示されて詳細に記述されてきたが、これは例示と見なされるべきであり、性質を限定するものではなく、単に好ましい実施形態が示され、記述されたにすぎず、本発明の精神の範囲内にあるすべての変更および修正が保護されるべきであることが理解されよう。
【図１】
2011500276.tif 000002
【図２Ａ】
2011500276.tif 000003
【図２Ｂ】
2011500276.tif 000004
【図２Ｃ】
2011500276.tif 000005
【図３Ａ】
2011500276.tif 000006
【図３Ｂ】
2011500276.tif 000007
【図３Ｃ】
2011500276.tif 000008
【図４Ａ】
2011500276.tif 000009
【図４Ｂ】
2011500276.tif 000010
【図４Ｃ】
2011500276.tif 000011
【図５Ａ】
2011500276.tif 000012
【図５Ｂ】
2011500276.tif 000013
【図５Ｃ】
2011500276.tif 000014
【図６Ａ】
2011500276.tif 000015
【図６Ｂ】
2011500276.tif 000016
【図７Ａ】
2011500276.tif 000017
【図７Ｂ】
2011500276.tif 000018
【図８】
2011500276.tif 000019
【図９】
2011500276.tif 000020
【図１０】
2011500276.tif 000021
【図１１】
2011500276.tif 000022
【国際調査報告】
2011500276.tif 000023
2011500276.tif 000024
2011500276.tif 000025